(57)【要約】【課題】  加熱式芳香発生装置等において好適に使用できる芳香燃料体を提供する。【解決手段】  芳香性の液剤と揮発性燃料オイルとがしみ込んだ芳香燃料片２が、袋体３内に密封状態に納められなることを特徴とする芳香燃料体。【選択図】図１
0003123954.tif 000002
【実用新案登録請求の範囲】
【請求項１】
芳香性の液剤と揮発性燃料オイルとがしみ込んだ芳香燃料片が、袋体内に密封状態に納められなることを特徴とする芳香燃料体。
【考案の詳細な説明】
【技術分野】
【０００１】  この考案は、芳香発生装置等において用いられる芳香燃料体に関する。
【背景技術】
【０００２】  各種の芳香発生装置が提供され、その一つとして天然植物から抽出した芳香性の液体により芳香を発生させるものがある。この種の天然植物の抽出液を使用する芳香発生装置によれば、より高いリラックス効果が得られ、また、消臭効果、さらには、小虫の忌避効果が発揮されることが知られている。しかしながら、上記抽出液からの芳香の発生量は限られ、人が認知するに十分な芳香を得るには多量の抽出液を用いる必要があり、コストが高くなる問題点があった。そこで、最近では加熱することで芳香剤の気化を促進して効率よく芳香を発生させる加熱式芳香発生装置の開発が進められている。
【考案の開示】
【考案が解決しようとする課題】
【０００３】  この考案は、上記加熱式芳香発生装置等においてに好適に使用できる芳香燃料体を提供することを目的とする。
【課題を解決するための手段】
【０００４】  この考案では、芳香性の液剤と揮発性燃料オイルとがしみ込んだ芳香燃料片が、袋体内に密封状態に納められなることを特徴とする芳香燃料体を提供する。【０００５】  この考案の芳香燃料体の芳香燃料片を用い加熱することで、しみ込んでいる芳香性の液剤より芳香が発せられる。芳香燃料片が袋体内に密封状態にされているので携帯に便利であるとともに、芳香燃料片が固形であるので袋体内から取り出しての芳香発生装置への装着、芳香発生装置からの取り出しが容易に行える。また、芳香燃料片に種々異なる芳香性の液剤をしみ込ませた芳香燃料体を提供することで、使用者はそれらを適宜選択することにより所望の芳香を楽しめる。
【考案の効果】
【０００６】  この考案の芳香燃料体を用いることで、芳香発生装置等を使用して手軽に種々異なる芳香が楽しめるようになる。この考案の芳香燃料体は高齢者等において便利に用いられるきわめて実用性に優れるものである。
【考案を実施するための最良の形態】
【０００７】  図１はこの考案の芳香燃料体の実施形態の切り欠き断面構成を含む外観斜視図である。【０００８】  芳香燃料体１は、芳香性の液剤と揮発性の燃料オイルとのしみ込みんだ芳香燃料片２が、袋体３内に密封状態に納められて構成されている。芳香燃料片２は扁平直方体形状で、その材料としてはしみ込み機能を持つものであれば適宜のものが使用可能で、例えば不織布等よりなるものを用いる。【０００９】  芳香燃料片２にしみ込ませる芳香性の液剤としては植物抽出液を用い、ヒノキ、ヒバ、ユーカリ等の樹木、ラベンダー等の花、オレンジやレモン等の芳香性に優れるものが単独で、また複数のものが適宜組み合わされて用いられ、使用者は所望の香りの芳香燃料体１を選択使用する。植物抽出液は通常芳香性能とともに消臭性能を発揮し、また、ヒノキ、ヒバ、ユーカリ等は小虫の忌避効果を発揮する。揮発性燃料オイルとしてはイソプロピルアルコールもしくはエチルアルコールを用いる。袋体３としては密封性の高いアルミ蒸着シートよりなるものを使用する。【００１０】  次に、上記芳香燃料体１の使用について説明する。図２は芳香燃料体１を使用する芳香発生装置の外観斜視図、図３はその断面図である。芳香発生装置４は全体が金属製で、装置本体５とそれにスライド装着されるスライドキャップ６とからなる。装置本体５は内部に収納スペース８を備え、その収納スペース８の一端側は開放して芳香燃料片２の出し入れ部９とされている。収納スペース８の上部には開口１０が設けられ、その開口１０部分に酸化加熱用のバーナー部１１が設けられている。バーナー部１１はセラミック繊維の不織布１２の表面の一部に酸化触媒である白金が付設されて構成され、この不織布１２が収納スペース８内に設けられる金網体１３に支持されてそのバーナー部１１を開口１０に臨設するように配置されている。バーナー部１１の中央には円形穴１８が形成されている。スライドキャップ６には複数個の芳香発生穴１４が設けられている。【００１１】  上記のようにバーナー部１１を構成する不織布１２としてセラミック繊維を用いることによって高い芳香性能が発揮される。従来この種の酸化加熱用のバーナにおいては白金を付設する材料として一般にグラスファイバーが用いられ、そのグラスファイバーを固めるのに接着剤を要したもので、酸化加熱時にその燃焼臭が若干発生したが、セラミック繊維の不織布１２はそのような接着剤を全く使用することなく形成できることで接着剤の燃焼臭の発生は全くなく、これにより芳香性能が良好となる。【００１２】  上記芳香発生装置４の収納スペース８内への芳香燃料片２の装着は、図４に示すように、スライドキャップ６を装置本体５から抜き取り、開放する出し入れ部９から袋体３を破り取り出した芳香燃料片２を金網体１３の下側に位置するように差し入れることで行う。装置本体５の一方側には外側に付勢される板バネ１５が設けられていて、これによりスライドキャップ６は安定状態においてスライド開閉され、その端部に設けられた凹部１６にスライドキャップ６の内側への凸部１７が嵌ることで通常はスライドキャップ６が抜け落ちることが阻止されるが、芳香燃料片２の出し入れの際には板バネ１５を押し込むことで凹部１６から凸部１７を離脱させてスライドキャップ６を抜き取る。【００１３】  芳香発生装置４は、図２に示す状態において、ライター等を用いバーナー部１１部分を加熱し、この加熱により酸化触媒である白金の表面が活性されることで芳香燃料片２からの蒸気化された燃料オイルの酸化が開始され、以降はその酸化に伴う加熱の継続による温度環境において芳香燃料片２にしみ込んでいる植物抽出液の気化が促進されることで芳香が効率良く発生される。バーナー部１１に円形穴１８が形成されていることで芳香燃料片２から芳香がその円形穴１８を通して上部に至り、さらに、スライドキャップ６が閉じられた状態において、その芳香発生穴１４から芳香が外部に放出される。芳香燃料片２の揮発性燃料オイルが無くなることで酸化が停止されて芳香の発生も停止する。芳香燃料片２は一回ごとに使い捨て使用される。上記のようにバーナー部１１に円形穴１８を設けバーナー部１１内を透過させることなく芳香を発生させていることで、より純粋で良好な芳香が得られるようにしている。【００１４】  図５はカイロを示し、このカイロ２０においても上記芳香燃料体１を用いることが可能で、すなわち、バーナー部２１を外し燃料タンク２２内に芳香燃料片２を差し入れて用いる。このように用いることで、カイロ２０において暖とともに芳香が手軽に得られるようになる。また、芳香燃料体１の芳香燃料片２は直接燃焼加熱することによっても芳香が得られる。
【図面の簡単な説明】
【図１】  この考案の芳香燃料体の実施形態の一部切り欠き断面を含む斜視図
【図２】  この考案の芳香燃料体を用いる芳香発生装置の実施形態の斜視図
【図３】  この考案の芳香燃料体を用いる芳香発生装置の実施形態の断面図
【図４】  この考案の芳香燃料体を用いる芳香発生装置の実施形態の分解斜視図
【図５】  この考案の芳香燃料体を用いるカイロの実施形態の分解斜視図
【符号の説明】
１    芳香燃料体
２    芳香燃料片
３    袋体
【図１】
0003123954.tif 000003
【図２】
0003123954.tif 000004
【図３】
0003123954.tif 000005
【図４】
0003123954.tif 000006
【図５】
0003123954.tif 000007